(57)【要約】【課題】歌唱時にも各種情報を表示可能とし、広告情報等の各種情報の効率的な配信を実現する。【解決手段】カラオケ装置本体と、カラオケ装置本体に選曲情報を入力するリモコン装置とを有してなるカラオケシステムである。リモコン装置は表示画面を備えるとともに、カラオケ装置本体からのデータを受信してその内容を表示画面に表示する機能を有する。カラオケ装置本体は、通信回線を使用してインターネット接続・閲覧機能を有していてもよく、この場合には、リモコン装置は、インターネット情報の表示機能、及びインターネット閲覧操作機能を有することになる。【選択図】  図２
2004252076.tif 000002
【特許請求の範囲】
【請求項１】
カラオケ装置本体と、カラオケ装置本体に選曲情報を入力するリモコン装置とを有してなるカラオケシステムにおいて、
前記リモコン装置は表示画面を備えるとともに、カラオケ装置本体からのデータを受信してその内容を前記表示画面に表示する機能を有することを特徴とするカラオケシステム。
【請求項２】
前記リモコン装置とカラオケ装置本体間の通信は、電波または赤外線による無線通信により行われることを特徴とする請求項１記載のカラオケシステム。
【請求項３】
前記データは、画像情報またはテキスト情報であることを特徴とする請求項１記載のカラオケシステム。
【請求項４】
前記データは、新譜情報、選曲ランキングデータ、掲示板メッセージ、紹介情報、広告のいずれかであることを特徴とする請求項３記載のカラオケシステム。
【請求項５】
前記カラオケ装置本体は、通信回線を使用してインターネット接続・閲覧機能を有し、
前記リモコン装置は、インターネット情報の表示機能、及びインターネット閲覧操作機能を有することを特徴とする請求項１記載のカラオケシステム。
【発明の詳細な説明】
【０００１】
【発明の属する技術分野】
本発明は、業務用あるいは家庭用のカラオケシステムに関するものであり、特に、歌唱時等にもリモコン装置に各種情報の表示が可能な新規なカラオケシステムに関する。
【０００２】
【従来の技術】
歌謡曲等の伴奏に基づくオーディオデータと、その曲の歌詞を示すテキストデータを含むビデオデータとが記録された記録媒体からオーディオ情報及びビデオ情報を再生するカラオケ装置が知られている。近年では、記録媒体を内蔵せず、通信回線を介して、ホストコンピュータに記録された大量のデータからユーザが指定した曲に関するデータを受信し、オーディオ／ビデオ情報を再生するいわゆる通信カラオケが主流となっている。
【０００３】
通常、カラオケ装置本体には、マイクロフォン、スピーカ、ディスプレイ等が接続される。カラオケ装置本体が再生したオーディオ情報は、スピーカから出力され、ユーザはスピーカから出力される伴奏を聴きながらマイクロフォンに向かって歌唱する。ユーザの歌声は、マイクロフォンによりオーディオ信号に変換されてカラオケ装置に入力される。カラオケ装置本体はこのユーザの歌声に基づく信号と伴奏を示すオーディオ信号とを混合してスピーカに出力する。
【０００４】
また、ディスプレイには、曲の雰囲気に合わせた映像とともに、曲の歌詞を示すテキストが表示される。このテキストは、曲の進行に同期して切り換えられる。ユーザは、ディスプレイに表示されるテキストにより歌詞を確認しながら歌を歌うことができる。
【０００５】
【特許文献１】
特開２０００−９９０４８号公報
【０００６】
【発明が解決しようとする課題】
ところで、例えば業務用カラオケシステムにおいて、メイン（あるいはサブ）となるディスプレイには、歌唱時の歌詞表示機能の他に、カラオケ装置本体の通信機能により、新譜情報やメッセージ等掲示板機能、各種イベント広告、カラオケ装置機能（採点ゲーム等）、紹介機能等がある。ただし、歌唱時には歌詞表示が優先され、前記他の情報は表示することができない。
【０００７】
一方、リモコン装置は、例えば早見本機能等の実装により、大型の液晶表示画面を有するものが普及しているが、液晶表示画面に表示するのは専ら早見本機能のみであり、それ以外の機能は備えていない。
【０００８】
本発明は、このような従来の実情に鑑みて提案されたものであり、歌唱時にも各種情報を表示することができ、広告情報等の各種情報の効率的な配信が可能なカラオケシステムを提供することを目的とする。
【０００９】
【課題を解決するための手段】
上述の目的を達成するために、本発明のカラオケシステムは、カラオケ装置本体と、カラオケ装置本体に選曲情報を入力するリモコン装置とを有してなるカラオケシステムにおいて、前記リモコン装置は表示画面を備えるとともに、カラオケ装置本体からのデータを受信してその内容を前記表示画面に表示する機能を有することを特徴とするものである。
【００１０】
本発明のカラオケシステムでは、リモコン装置とカラオケ装置本体とが無線または有線により常に接続されている。そして、カラオケ装置本体に接続されるディスプレイが歌唱時に歌詞表示のみとなる間も、それまでディスプレイに表示されていた内容がリモコン装置の表示画面に表示され、各種情報が効率的に配信される。
【００１１】
【発明の実施の形態】
以下、本発明を適用したカラオケシステムについて、図面を参照しながら詳細に説明する。
【００１２】
図１は、本発明を適用したカラオケシステムの基本構成を示すものであり、このカラオケシステムは、カラオケ装置本体１とリモコン装置２とから構成されている。
【００１３】
カラオケ装置本体１には、図示は省略するが、マウントディスプレイやマイクロフォン、スピーカ等が接続されており、ユーザが選曲した曲の伴奏と、この伴奏に合わせてユーザが歌う歌とがスピーカから出力される。
【００１４】
カラオケ装置本体１は、曲データ（オーディオデータ及びビデオデータ）が記録された記録媒体を備えている。あるいは、カラオケ装置本体１自体が記録媒体を備えるのではなく、通信回線を介して外部のホスト端末からオーディオデータ及びビデオデータを受信するような構成としてもよい。
【００１５】
一方、リモコン装置２は、選曲のための操作ボタン２ａや、液晶ディスプレイ等、曲情報等を表示する表示画面２ｂを有し、ユーザは、このリモコン装置２を選曲のためのリモコン装置としてのみならず、新譜情報等の曲情報（早見本機能情報）を検索して前記表示画面２ｂに表示させ、電子目次端末としても利用することができる。
【００１６】
すなわち、リモコン装置２は、新譜情報等の曲情報（早見本機能情報）を保存するメモリを内蔵しており、ここに例えば１０万曲を越えるような曲情報が保存されている。曲検索の際には、リモコン装置２をキー操作し、検索条件に合致する曲情報を内蔵したメモリから探し出す。探し出された曲情報は、リモコン装置２の表示画面２ｂに表示され、ユーザはリモコン装置２を新譜情報等の曲情報（早見本機能情報）を検索するための電子目次端末として利用することができる。
【００１７】
一方、図２に示すように、カラオケ装置本体１及びリモコン装置２は、それぞれ通信部３、及び通信部４を備えており、これら通信部３，４間でデータの授受が可能であり、この通信部３，４を介して常に接続された状態とされている。通信部３，４の通信手段としては、電波または赤外線による無線通信が好適であるが、有線による通信であってもよい。有線通信とすることにより無線通信とした場合よりもコストを下げることができるが、使い易さの点では無線通信が優る。
【００１８】
カラオケ装置本体１は、ホスト６から配信された各種情報を格納する情報格納部５を有し、新譜情報、選曲ランキングデータ、掲示板のメッセージ、紹介情報、広告等、画像情報あるいはテキスト情報をここに格納し、前記通信部３により送信する機能を有する。
【００１９】
リモコン装置２では、カラオケ装置本体１から送信されるこれら情報を前記通信部４で受信し、その内容を表示画面２ｂに表示する機能を有する。したがって、例えばリモコン装置２を電子目次端末として利用していない時には、カラオケ装置本体１に接続されるディスプレイが歌詞表示を行っていても、リモコン装置２の表示画面に各種情報を表示することができ、広告情報等の効率的な配信が可能となる。
【００２０】
また、カラオケ装置本体１は、インターネット接続のためのインターネット接続ターミナル７を備えていてもよく、通信回線８を利用してインターネット接続、インターネット閲覧機能を有していてもよい。この場合には、リモコン装置２では、カラオケ装置本体１が保有する各種情報の表示だけでなく、インターネット情報の表示、インターネットの閲覧操作等を行うことができる。したがって、ユーザは、リモコン装置を使って自由にインターネットに接続することにより、カラオケだけでなく、それ以外の最新情報を自由に入手することが可能になる。
【００２１】
曲の選曲及び演奏は、通常のカラオケ装置と同様であり、ユーザが所望の曲を選曲すると、カラオケ装置１に内蔵される読出部が、ユーザが選曲した曲のオーディオデータ及びビデオデータを読み出す。さらに、読み出したビデオデータをビデオ信号再生部に供給する。ビデオ信号再生部は、このビデオデータからビデオ信号を再生し、再生したビデオ信号をビデオ信号出力端子に供給する。このビデオ信号には、曲の歌詞を示すテキストが含まれている。
【００２２】
また、読出部は、読み出したオーディオデータをオーディオ信号再生部に供給する。オーディオ信号再生部は、供給されたオーディオデータに基づいてオーディオ信号を再生し、再生したオーディオ信号をミキサに供給する。このオーディオ信号は、ユーザが選曲した曲の伴奏に対応する信号である。ミキサは、音声信号入力端子を介してマイクロフォンにも接続されており、このマイクロフォンに入力された音声に基づく音声信号とオーディオ信号再生部が再生したオーディオ信号を混合し、混合して得られたオーディオ信号を増幅器に供給する。増幅器は、ミキサから供給されたオーディオ信号を増幅し、増幅したオーディオ信号をオーディオ信号出力端子に供給する。オーディオ信号出力端子は、増幅されたオーディオ信号をスピーカに出力する。
【００２３】
【発明の効果】
以上の説明からも明らかなように、本発明によれば、例えば歌唱時にも各種情報をリモコン装置の表示画面に表示することができ、広告情報等の各種情報の効率的な配信が可能である。また、インターネット接続を可能とすることで、ユーザはカラオケだけでなくそれ以外の最新情報を自由に入手可能となる。
【図面の簡単な説明】
【図１】本発明を適用したカラオケシステムの基本構成を示す模式図である。
【図２】リモコン装置とカラオケ装置本体間の通信手段の構成を示す図である。
【符号の説明】
１          カラオケ装置本体
２          リモコン装置
２ｂ        表示画面
３，４      通信部
【図１】
2004252076.tif 000003
【図２】
2004252076.tif 000004